(57)【要約】【課題】  Film検出精度を直接制御してより誤検出を防ぐテレビジョン受像装置及びテレビジョン受像方法を提供する。【解決手段】  画像信号が入力される入力手段と、前記入力手段に入力された画像信号からプルダウン検出を行うプルダウン検出手段と、前記入力手段に入力された画像信号からフィルム検出を行うフィルム検出手段と、前記プルダウン検出手段のプルダウン検出結果に基づいて前記フィルム検出手段を動作させる制御手段と、前記入力手段に入力された画像信号からプルダウン対象の画像信号入力頻度を記憶する記憶手段とを具備し前記制御手段は前記入力頻度により前記プルダウン検出強度を可変とすることを特徴とするテレビジョン受像装置。【選択図】      図２
2008271315.tif 000002
【特許請求の範囲】
【請求項１】
画像信号が入力される入力手段と、
前記入力手段に入力された画像信号からプルダウン検出を行うプルダウン検出手段と、
前記入力手段に入力された画像信号からフィルム検出を行うフィルム検出手段と、
前記プルダウン検出手段のプルダウン検出結果に基づいて前記フィルム検出手段を動作させる制御手段と、
前記入力手段に入力された画像信号からプルダウン対象の画像信号入力頻度を記憶する記憶手段とを
具備し前記制御手段は前記入力頻度により前記プルダウン検出強度を可変とすることを特徴とするテレビジョン受像装置。
【請求項２】
前記入力手段の属性に対応して属性毎の前記入力頻度を前記記憶手段は記憶することを特徴とする請求項１記載のテレビジョン受像装置。
【請求項３】
画像信号が入力される入力手段と、
前記入力手段に入力された画像信号からプルダウン検出を行うプルダウン検出手段と、
前記入力手段に入力された画像信号からフィルム検出を行うフィルム検出手段と、
前記プルダウン検出手段のプルダウン検出結果に基づいて前記フィルム検出手段を動作させる制御手段と、
前記入力手段に入力された画像信号から番組情報を取得しプルダウン対象の画像信号かを判定する番組情報取得手段とを
具備し前記制御手段は前記判定により前記プルダウン検出強度を可変とすることを特徴とするテレビジョン受像装置。
【請求項４】
前記入力手段の属性に対応して属性毎に前記判定を行うことを特徴とする請求項３記載のテレビジョン受像装置。
【請求項５】
画像信号が入力される第１の工程と、
前記第１の工程に入力された画像信号からプルダウン検出を行う第２の工程と、
前記第１の工程に入力された画像信号からフィルム検出を行う第３の工程と、
前記第２の工程のプルダウン検出結果に基づいて前記第３の工程を動作させる第４の工程と、
前記第１の工程に入力された画像信号からプルダウン対象の画像信号入力頻度を記憶する第５の工程とを
具備し前記第４の工程は前記入力頻度により前記プルダウン検出強度を可変とすることを特徴とするテレビジョン受像方法。
【請求項６】
前記第１の工程の属性に対応して属性毎の前記入力頻度を前記第５の工程は記憶することを特徴とする請求項５記載のテレビジョン受像方法。
【請求項７】
画像信号が入力される第１の工程と、
前記第１の工程に入力された画像信号からプルダウン検出を行う第２の工程と、
前記第１の工程に入力された画像信号からフィルム検出を行う第３の工程と、
前記第２の工程のプルダウン検出結果に基づいて前記第３の工程を動作させる第４の工程と、
前記第１の工程に入力された画像信号から番組情報を取得しプルダウン対象の画像信号かを判定する第５の工程とを
具備し前記第４の工程は前記判定により前記プルダウン検出強度を可変とすることを特徴とするテレビジョン受像方法。
【請求項８】
前記第１の工程の属性に対応して属性毎の前記判定を行うことを特徴とする請求項７記載のテレビジョン受像方法。
【発明の詳細な説明】
【技術分野】
【０００１】
本発明は、フィルムソースを扱うテレビジョン受像装置及びテレビジョン受像方法に関する。
【背景技術】
【０００２】
周知のように近年では、フラットパネル型の大画面ディスプレイが開発され、テレビジョン放送受信装置に実用化されている。ところで特にこの種の大画面ディスプレイに対しては、FilmソースのMotion Judder（映像が非連続に表示される現象）を改善する機能が設けられている。
【０００３】
TVセットにおいて、２：３/２：２プルダウン処理の際、FilmソースのMotion Judderを改善する機能（２：３/２：２プルダウン処理により生じる映像のガタつきをスムーズにする機能）は、Film検出精度に左右されるが、誤検出を防ぐために精度を低くしている場合があり、スムーズな動きを得られない事がある。
【０００４】
関連して例えば特許文献１には、映像信号がテレシネシーケンスの繰り返し条件を満たすか否かを示す出現頻度により複数種類の補間信号を選択して変換処理を行うという方式が開示されている。また特許文献２には、過去の判定履歴に基づいてフィールド間の画素比較によりプルダウン検出し処理を行うという方式が開示されている。また特許文献３には、動き補償型順次走査変換装置から出力される信頼度情報を用いて記憶容量や処理量を大幅に増大させることなくフィルムモード検出の精度を向上させるという方式が開示されている。しかしながら、Film検出精度を直接制御してより誤検出を防ぐアプローチに至っているものではなかった。
【特許文献１】特開２００６‐９４２５７号公報
【特許文献２】特開２００６‐２３７６９５号公報
【特許文献３】特開２００６‐３０３９１０号公報
【発明の開示】
【発明が解決しようとする課題】
【０００５】
本発明は、Film検出精度を直接制御してより誤検出を防ぐテレビジョン受像装置及びテレビジョン受像方法を提供することを目的とする。
【課題を解決するための手段】
【０００６】
上記課題を解決するために、本発明のテレビジョン受像装置は、画像信号が入力される入力手段と、前記入力手段に入力された画像信号からプルダウン検出を行うプルダウン検出手段と、前記入力手段に入力された画像信号からフィルム検出を行うフィルム検出手段と、前記プルダウン検出手段のプルダウン検出結果に基づいて前記フィルム検出手段を動作させる制御手段と、前記入力手段に入力された画像信号からプルダウン対象の画像信号入力頻度を記憶する記憶手段とを具備し前記制御手段は前記入力頻度により前記プルダウン検出強度を可変とすることを特徴とする。
【発明の効果】
【０００７】
本発明によれば、Film検出精度を直接制御してより誤検出を防ぐテレビジョン受像装置及びテレビジョン受像方法が得られる。
【発明を実施するための最良の形態】
【０００８】
以下、本発明の実施例を説明する。
【実施例１】
【０００９】
本発明による実施例１を図１乃至図３を参照して説明する。
図１は、実施の形態で説明するテレビジョン放送受信装置１１の映像信号処理系を概略的に示している。
すなわち、デジタルテレビジョン放送受信用のアンテナ１２で受信したデジタルテレビジョン放送信号は、入力端子１３を介して選局復調部１４に供給される。この選局復調部１４は、入力されたデジタルテレビジョン放送信号から所望のチャンネルの放送信号を選局し、その選局された信号を復調してデコーダ１５に出力している。
【００１０】
そして、このデコーダ１５は、選局復調部１４から入力された信号にデコード処理を施すことにより、デジタルの輝度信号Ｙ及び色信号Ｃｂ／Ｃｒをそれぞれ生成して、セレクタ１６に出力している。
【００１１】
また、アナログテレビジョン放送受信用のアンテナ１７で受信したアナログテレビジョン放送信号は、入力端子１８を介して選局復調部１９に供給される。この選局復調部１９では、入力されたアナログテレビジョン放送信号から所望のチャンネルの放送信号を選局し、その選局された信号を復調してアナログの輝度信号Ｙ及び色信号Ｃｂ／Ｃｒをそれぞれ生成している。
【００１２】
そして、この選局復調部１９で生成されたアナログの輝度信号Ｙ及び色信号Ｃｂ／Ｃｒは、Ａ／Ｄ (analog／digital) 変換部２０に供給されてデジタルの輝度信号Ｙ及び色信号Ｃｂ／Ｃｒに変換された後、上記セレクタ１６に出力される。
【００１３】
また、アナログ映像信号用の外部入力端子２１に供給されたアナログの輝度信号Y及び色信号Ｃｂ／Ｃｒは、A／D変換部２２に供給されてデジタルの輝度信号Y及び色信号Ｃｂ／Ｃｒに変換された後、上記セレクタ１６に出力される。さらに、デジタル映像信号用の外部入力端子２３に供給されたデジタルの輝度信号Y及び色信号Ｃｂ／Ｃｒは、そのまま上記セレクタ１６に供給される。
【００１４】
ここで、このセレクタ１６は、デコーダ１５、A／D変換部２０、２２及び外部入力端子２３からそれぞれ供給されるデジタルの輝度信号Y及び色信号Ｃｂ／Ｃｒから1つを選択して、映像信号処理部２４に供給している。上記のようにこのセレクタ１６までで輝度信号が入力される入力手段を構成している。
【００１５】
この映像信号処理部２４は、詳細は後述するが、入力されたデジタルの輝度信号Y及び色信号Ｃｂ／Ｃｒに対して所定の信号処理を施すことにより、R（red），G（green），B（blue）信号を生成している。
【００１６】
そして、この映像信号処理部２４で生成されたR，G，B信号が、映像表示部２５に供給されて映像表示に供される。なお、この映像表示部２５としては、例えば、液晶ディスプレイやプラズマディスプレイ等でなるフラットパネルディスプレイが採用される。
【００１７】
ここで、このテレビジョン放送受信装置１１は、上記した各種の受信動作を含む種々の動作を制御部２６によって統括的に制御されている。この制御部２６は、CPU（central processing unit）等を内蔵したマイクロプロセッサであり、図示しないリモートコントローラを含む操作部２７からの操作情報を受けて、その操作内容が反映されるように各部をそれぞれ制御している。
【００１８】
この場合、制御部２６は、主として、そのCPUが実行する制御プログラムを格納したROM（read only memory）２８と、該CPUに作業エリアを提供するためのRAM（random access memory）２９と、各種の設定情報及び制御情報等が格納される不揮発性メモリ３０とを利用している。
【００１９】
図２に、本実施例のテレビ受像装置における関連部分の構成図を示す。図２において、デジタルチューナー31、アナログチューナー32、外部機器33から各外部入力で接続されている映像信号は、映像信号切替回路34に入力され、制御回路38からの切替制御により映像信号が切替えられる。映像信号切替回路34より出力された映像信号は、映像信号処理回路35で表示デバイス42に対応した表示フォーマットに変換され、倍速処理部39で倍速処理が行われ表示デバイス42に出力される。
【００２０】
2:3/2:2プルダウン検出回路37より、検出された結果を基にIP変換Scaler36で、2:3/2:2プルダウン処理が行われる。この時、制御回路38に2:3/2:2プルダウン検出情報が出力され、フィルム検出回路41のFilm検出精度の設定を行う。フィルム検出回路41でのFilm検出結果を基に、倍速処理回路40によりFilmソースのMotion Judderを改善する処理が行われ、表示デバイス42に出力される。制御回路38は、所謂ＴＶマイコンであり、図１の制御部２６とＲＯＭ２８、ＲＡＭ２９に相当している。
【００２１】
更にここで、記憶装置43を加えた構成図となっていて、記憶装置43に映画ソース入力頻度ごとのFilm検出の設定値を格納しておく。制御回路38に2:3/2:2プルダウン検出情報が出力された際、選択されているチャンネルまたは外部入力における、映画ソースの入力の有無の情報を記憶装置43に書き込む。この情報より、選択されたチャンネルや外部入力において、制御回路38が、以前の映画ソースの入力頻度におけるFilm検出の設定値を、記憶装置43から読み出し、Film検出回路41のFilm検出精度を調整する。
【００２２】
例として、頻度が高い場合には、検出精度を高く設定し、瞬時にFilmソースのMotion Judderを改善する機能であるスムーズな動きを得ることができる。また、頻度が低い場合には、検出精度を低くするように設定する。
【００２３】
この手段により、瞬時にFilmソースのMotion Judderを改善する機能である、スムーズな動きを得ることが可能となる。
図３は、この設定の手順である。ステップＳ１では、映画ソース入力を行う。映画ソースが入力された場合にはステップＳ２では、映画ソース入力頻度追加を行う。例えば直近のｎ件において何件あったかを記憶装置４３に更新した形で入れる。また映画ソースが入力されない場合にはステップＳ２では、実質的には映画ソース入力頻度を１カウント減少した値に更新して記憶装置４３に入れる。記憶装置４３は制御回路３８に対しリクエストに応じて、保存されている映画ソース入力頻度に対応して格納されている設定値を出力し、制御回路３８はこの設定値に基づきFilm検出回路４１の設定をする。なお、2:3プルダウンが行われるのは通常映画フィルム等の映像ソースであり、2:2プルダウンが行われるのはＣＧやアニメーション等であり、それぞれ別な設定値を設けてもよい。
【実施例２】
【００２４】
本発明による実施例２を図１及び図３乃至図４を参照して説明する。実施例１と共通する部分は説明を省略する。
図３に、本実施例における構成図を示す。図１の実施例１の構成図において、記憶装置43の替わりにデジタル番組情報取得部44を加えたものが図３の構成図になる。
【００２５】
図３において、以下の条件のとき、各々Film検出回路41の検出精度を高くするように設定する。
・国内において、制御回路38がデジタル番組情報取得部44より映画番組を取得した場合
・DVD（映画ソース）は、外部入力からの使用頻度が高いので、制御回路38の切替制御により、映像信号切替回路34において外部入力（ビデオ入力）が選択された場合
【００２６】
・映画専用の放送チャンネルがある場合は、制御回路38の切替制御により、映像信号切替回路34においてそのチャンネルが選択された場合
【００２７】
この手段により、Filmソース入力時に、瞬時にFilmソースのMotion Judderを改善する機能である、スムーズな動きを得ることが可能となる。
２TVセットにおいて、２：３/２：２プルダウン処理の際、FilmソースのMotion Judderを改善する機能（２：３/２：２プルダウン処理により生じる映像のガタつきをスムーズにする機能）は、Film検出精度に左右されるが、誤検出を防ぐために精度を低くしている場合があり、スムーズな動きを得られない事がある。そこで本提案では、各チャンネルや外部機器の入力における「以前の映画ソースの頻度」より、検出精度を調整する以下の内容を提案する。
【００２８】
デジタルとアナログの各チャンネルや外部機器からの各外部入力において、映画ソース入力の頻度の情報を保存しておく。
その情報を基に、選択されたチャンネルや外部入力において、以前の映画ソースの頻度が高い場合は、Film検出精度を高く設定する。
この手段により、瞬時にFilmソースのMotion Judderを改善する機能であるスムーズな動きを得ることが可能となる。
本提案により、瞬時にFilmソースのMotion Judderを改善する機能である、スムーズな動きを得ることが可能となる。
上記実施例では、チャンネルや外部機器など入力機器属性毎に「以前の映画ソースの入力頻度」情報を記憶保存し頻度に応じてフィルム検出精度を設定して２：３／２：２プルダウン処理の際に生ずる映像のガタつきを改善したテレビジョン受像装置を構成した。
【００２９】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００３０】
【図１】本発明の実施の形態を示すもので、テレビジョン放送受信装置の映像信号処理系を説明するために示すブロック構成図。
【図２】同実施例の要部の概要を示すブロック構成図。
【図３】同実施例のフローチャート。
【図４】実施例２の要部の概要を示すブロック構成図。
【符号の説明】
【００３１】
11…テレビジョン放送受信装置、12…アンテナ、13…入力端子、14…選局復調部、15…デコーダ、16…セレクタ、17…アンテナ、18…入力端子、19…選局復調部、20…Ａ／Ｄ変換部、21…外部入力端子、22…Ａ／Ｄ変換部、23…外部入力端子、24…映像信号処理部、25…映像表示部、26…制御部、27…操作部、28…ＲＯＭ、29…ＲＡＭ、30…不揮発性メモリ、31…デジタルチューナー、32…アナログチューナー，33…外部機器、34…映像信号切替回路、35…映像信号処理回路、36…IP変換Scaler、37…2:3/2:2プルダウン検出回路、38…制御回路、39…倍速処理部、40…倍速処理回路、41…フィルム検出回路、42…表示デバイス、43…記憶装置、44…デジタル番組情報取得部。
【図１】
2008271315.tif 000003
【図２】
2008271315.tif 000004
【図３】
2008271315.tif 000005
【図４】
2008271315.tif 000006